【事件の表示】
　特願２００８−２２７１０９「Ｘ線ＣＴ装置およびＸ線ＣＴ装置の制御プログラム」拒絶査定不服審判事件〔平成２２年　３月１８日出願公開、特開２０１０−　５７７３１〕について、次のとおり審決する。
【結　論】
　本件審判の請求は、成り立たない。
【理　由】
第１　手続の経緯　
　本願は，平成２０年９月４日を出願日とする出願であって，平成２４年１１月５日付けで拒絶理由が通知され，平成２５年１月１５日付けで手続補正がなされ，同年１月３１日付けで最後の拒絶理由が通知され，同年４月５日付けで手続補正がなされ，同年４月２５日付けで同年４月５日付けの手続補正についての補正却下の決定がなされると共に，同日付けで拒絶査定がなされ，同年７月３１日に拒絶査定不服審判の請求がなされ，同時に手続補正（以下，「本件補正」という。）がなされたものである。
　
第２　本件補正についての補正の却下の決定　　
［補正の却下の決定の結論］　　
　本件補正を却下する。　　
　　　
［理由］　　
１　補正後の本願発明（下線は補正箇所を示す。）　　
　本件補正により，補正前の特許請求の範囲の請求項４は，補正後の請求項１とし，
「　　【請求項１】
　被検体にＸ線を照射するＸ線管と，
　前記Ｘ線管から照射されたＸ線を検出するＸ線検出器と，
　前記被検体の体
軸に
た位
前記被検体の体軸に直交する２方向に対して
ことが可能な
　前記位置関係の変更の後に，前記Ｘ線管及び前記Ｘ線検出器を用いて前記被検体にＸ線を曝射してイメージング
スキャン
を備えるＸ線ＣＴ装置。」
と補正された。　　
　
　本件補正は，補正前の請求項４に係る発明を特定するために必要な事項である「被検体の体軸方向に交わる領域」を「被検体の体
軸に
軸
た位
直交する
直交する
直交する
　したがって，本件補正は，特許法第１７条の２第５項第２号の特許請求の範囲の減縮を目的とするものを含む。
　そこで，本件補正後の前記請求項１に係る発明（以下「補正発明」という。）が，特許出願の際独立して特許を受けることができるものであるか（特許法第１７条の２第６項において準用する同法第１２６条第７項の規定に適合するか）について以下に検討する。
　
２　引用刊行物およびその記載事項
（１）本願の出願前に頒布され，原査定の拒絶の理由に引用された刊行物である特開昭６１−１２２８４８号公報（以下，「刊行物１」という。）には，「ＣＴ装置の患者監視システム」について，図面とともに次の事項が記載されている（下線は当審で付与した。）。
（１−ア）
「２．特許請求の範囲
　スキャナ室に配置された
ＣＴスキャナを操作室から遠隔操作して患者の監視を行うＣＴ装置
３．発明の詳細な説明
［発明の技術分野］
　本発明はＣＴ（コンピユーテッド・トモグラフィ）装置における患者監視システムに関するものである。」（第１頁左下欄４行〜右下欄１行）
　
（１−イ）
「［発明の目的］
　本発明は上記事情に鑑みてなされたものであり，極めて安全性が高い状態の下に架台及び寝台の遠隔操作を行うことができるＣＴ装置の患者監視システムを提供することを目的とするものである。」（第２頁左上欄７行〜１１行）
　
（１−ウ）
「［発明の実施例］
　以下に本発明の実施例を詳細に説明する。
　第１図中，１はスキャナ室，２は操作室を示すものである。スキャナ室１内には，所定の開口を設けた
架台３と，この架台３に回転可能に取り付けられたＸ線管４と，架台３の開口の回りに取り付けられＸ線管４から曝射されるＸ線を検出してこれを電気信号に変換するＸ線検出器５と，患者を載せて前記架台３の開口に出入可能で，かつ，上下動し得るように構成された寝台６とを有するＣＴスキャナ
　操作室２内には，本実施例のシステムを構成する架台制御，画像表示装置が配置されている。
・・・
　そして，前記Ｘ線検出器５がデータ収集インターフェース１４に接続され，
Ｘ線検出器５の出力をデータ収集インターフェース１４を介して入力し，画像再構成してこの結果を画像表示インターフェース１６を介して画像表示モニタ１７へ送出する
　
（１−エ）
「
オペレータは
画像表示モニタ１７
上の画像を見てキーボード２２に必要な情報をキーインする
寝台６に対して架台３に対する
上下動等を支持する寝台制御情報が
送出される
　
（１−オ）
「　第２図（ａ），（ｂ）は，架台チルトの遠隔操作の場合を示す説明図である。
　ＣＴスキャナの寝台６上に患者を載せた状態でＸ線管４を３時又は９時の位置（患者に対して水平横位置）に設定し，寝台６を一定高さに保持しつつ架台３出入させてスキャノスコープ撮影を行うことにより得られた画像情報，すなわち，
スキャノスコープ画像ＳＰを画像表示モニタ１７上に表示すると同時に
架台チルト角ｙ
１
（これは患者に対するスライス位置でもある。）を示す細線を画面上垂直方向にそれぞれ表示する。
　次に，オペレータはこの画像表示モニタ１７上の画像及び監視モニタ２７上の患者の画像を見ながら，キーボード２２に必要な情報を入力し，設定架台情報，すなわち，設定架台チルト角ｙ２を示す細線を画像表示モニタ１７上に表示させるとともに，再びキーボード２に架台制御情報を発生させるための情報を入力する。
　これにより制御プログラムが働き，シリアルインターフェース２４から架台制御情報が架台３に送られ，この結果，
架台３は設定架台チルト角ｙ
２
だけチルトして停止する
・・・
　第３図（ａ），（ｂ）は寝台上下動の遠隔操作の場合を示す説明図である。
ＣＴスキャナの寝台６上に患者を載せた状態でスキャン操作を行うことにより得られた画像情報，すなわち，スキャン画像Ｓと，第２図（ａ）に示す場合と同様な架台開口上部Ｌ
１
，架台回転中心Ｌ
０
及び架台開口下部Ｌ
２
を示す波線と，寝台６の寝台情報，すなわち，現在の寝台高さＨ
１
を示す細線とを画像表示モニタ１７上に併せて表示する。
　次に，
オペレータは
キーボード２２に対し必要な情報を入力し，
設定寝台高さＨ
２
を示す破線を画像表示モニタ１７上に表示させるとともに，再びキーボード２２に前記設定寝台情報に対応する寝台制御情報を発生させるための情報を入力する。
　これにより制御プログラムが働き，シリアルインターフェース２４から
寝台制御情報が寝台６に送られ，この結果，寝台６は設定寝台高さH
２
の位置まで下降して停止する
　
（１−カ）
　第３図には患者のアキシャル画像であるスキャン画像Ｓが記載され，第２図には患者のサジタル画像に架台チルト角ｙ１と設定架台チルト角ｙ２を示す細線が記載されたスキャノスコープ画像ＳＰが記載されている。
　
　上記（１−ア）〜（１−カ）の記載を参照すると，上記刊行物１には，次の発明が記載されていると認められる。
「架台３と，この架台３に回転可能に取り付けられたＸ線管４と，架台３の開口の回りに取り付けられＸ線管４から曝射されるＸ線を検出してこれを電気信号に変換するＸ線検出器５と，患者を載せて上下動し得るように構成された寝台６とを有するＣＴスキャナを備えたＣＴ装置であって，
Ｘ線検出器５の出力をデータ収集インターフェース１４を介して入力し，画像再構成してこの結果を画像表示インターフェース１６を介して画像表示モニタ１７へ送出するもので，
患者のアキシャル画像であるスキャン画像Ｓと，寝台６の現在の寝台高さＨ１を示す細線とを画像表示モニタ１７上に併せて表示し，
オペレータは，キーボード２２に対し必要な情報を入力し，設定寝台情報，すなわち，設定寝台高さＨ２を示す破線を画像表示モニタ１７上に表示させ，
再びキーボード２２に前記設定寝台情報に対応する寝台制御情報を発生させるための情報を入力し，
寝台制御情報が寝台６に送られ，この結果，寝台６は設定寝台高さＨ２の位置まで下降して停止するＣＴ装置。」（以下，「引用発明」という。）
　
（２）本願の出願前に頒布され，原査定の拒絶の理由に引用された刊行物である特開２００６−１６７３４６号公報（以下，「刊行物２」という。）には，「Ｘ線ＣＴ装置」について，図面とともに次の事項が記載されている（下線は当審で付与した。）。
　
（２−ア）
「【背景技術】
【０００２】
　Ｘ線ＣＴ装置において，被検体の周りからＸ線を照射し該被検体を透過したＸ線像を検出して断層像を撮影する(以下，スキャンと呼ぶ)場合，予め，被検体の内部位置，形状が確認可能な透視像を撮影し，この透視像を見ながらスキャンの撮影範囲を決めるのが一般的である。このような透視像を通称スキャノグラム像と呼ぶ。
　また，このスキャノグラム像を見ながらスキャンの撮影範囲を決めることをスキャン計画と呼ぶ。
・・・
【０００４】
  
1つのスキャノグラム像は被検体の一方向から見た画像であり，より正確な位置決めを行いたい場合はＸ線発生源の位置を変えて別の角度からの透視像を得る。
　それら複数のスキャノグラム像をもとにスキャン計画を行う。
　具体的には，
Ｘ線発生源を被検体の上下方向
に固定して得たスキャノグラム像と，Ｘ線発生源を被検体の左右方向
に固定して得たスキャノグラム像により，それぞれ被検体の左右方向および上下方向の位置決めを行う
　
３　対比・判断　
　補正発明と引用発明とを対比する。
ア　引用発明の「Ｘ線管４」，「Ｘ線検出器５」は，それぞれ補正発明の「被検体にＸ線を照射するＸ線管」，「前記Ｘ線管から照射されたＸ線を検出するＸ線検出器」に相当する。
　
イ　引用発明の「スキャン画像Ｓ」は，「アキシャル画像」であり，「寝台６の現在の寝台高さＨ１を示す細線と」「画像表示モニタ１７上に併せて表示」されるものであり，「オペレータは，キーボード２２に対し必要な情報を入力し，設定寝台情報，すなわち，設定寝台高さＨ２を示す破線を画像表示モニタ１７上に表示させる」のであるから，引用発明の「スキャン画像Ｓ」は，補正発明の「前記被検体の体軸に交わる領域に対応する参照画像」に相当する。
　また，引用発明の「患者のアキシャル画像であるスキャン画像Ｓと，寝台６の現在の寝台高さＨ１を示す細線とを画像表示モニタ１７上に併せて表示し，
オペレータは，キーボード２２に対し必要な情報を入力し，設定寝台情報，すなわち，設定寝台高さＨ２を示す破線を画像表示モニタ１７上に表示させ，
再びキーボード２２に前記設定寝台情報に対応する寝台制御情報を発生させるための情報を入力し，
寝台制御情報が寝台６に送られ，この結果，寝台６は設定寝台高さＨ２の位置まで下降して停止する」ことは，オペレータの入力によって指定される「設定寝台高さＨ２を示す破線」の位置に応じて寝台６が下降して停止することを意味することは明らかであり，補正発明の「前記被検体と前記Ｘ線管及び前記Ｘ線検出器との相対的な位置関係」を「変更させる」ことに相当することは明らかである。
　そして，そのために引用発明の寝台６が高さ移動手段を備えていることは明らかであり，高さ移動方向が患者の体軸に直交する方向であることも明らかである。
　そうすると，引用発明の「患者のアキシャル画像であるスキャン画像Ｓと，寝台６の現在の寝台高さＨ１を示す細線とを画像表示モニタ１７上に併せて表示し，
オペレータは，キーボード２２に対し必要な情報を入力し，設定寝台情報，すなわち，設定寝台高さＨ２を示す破線を画像表示モニタ１７上に表示させ，
再びキーボード２２に前記設定寝台情報に対応する寝台制御情報を発生させるための情報を入力し，
寝台制御情報が寝台６に送られ，この結果，寝台６は設定寝台高さＨ２の位置まで下降して停止する」ことと，
補正発明の「前記被検体の体軸に交わる領域に対応する参照画像上に操作者の入力によって指定された位置に応じて，前記被検体と前記Ｘ線管及び前記Ｘ線検出器との相対的な位置関係を前記被検体の体軸に直交する２方向に対して変更させることが可能な移動手段」とは，
「前記被検体の体軸に交わる領域に対応する参照画像上に操作者の入力によって指定された位置に応じて，前記被検体と前記Ｘ線管及び前記Ｘ線検出器との相対的な位置関係を前記被検体の体軸に直交する方向に対して変更させることが可能な移動手段」の点で共通する。
　
ウ　引用発明の「Ｘ線検出器５の出力をデータ収集インターフェース１４を介して入力し，画像再構成してこの結果を画像表示インターフェース１６を介して画像表示モニタ１７へ送出するもの」は，再構成した画像がＣＴ画像であるから，ＣＴ画像収集手段を備えることは明らかである。
　そうすると，引用発明の「Ｘ線検出器５の出力をデータ収集インターフェース１４を介して入力し，画像再構成してこの結果を画像表示インターフェース１６を介して画像表示モニタ１７へ送出するもの」と，
補正発明の「前記位置関係の変更の後に，前記Ｘ線管及び前記Ｘ線検出器を用いて前記被検体にＸ線を曝射してイメージングスキャンを行うことによりＸ線ＣＴ画像データを収集するＣＴ画像収集手段」とは，
「前記Ｘ線管及び前記Ｘ線検出器を用いて前記被検体にＸ線を曝射してイメージングスキャンを行うことによりＸ線ＣＴ画像データを収集するＣＴ画像収集手段」の点で共通する。
　
　そうすると，両者は，　　
（一致点）　　
「被検体にＸ線を照射するＸ線管と，
　前記Ｘ線管から照射されたＸ線を検出するＸ線検出器と，
　前記被検体の体軸に交わる領域に対応する参照画像上に操作者の入力によって指定された位置に応じて，前記被検体と前記Ｘ線管及び前記Ｘ線検出器との相対的な位置関係を前記被検体の体軸に直交する方向に対して変更させることが可能な移動手段と，
　前記Ｘ線管及び前記Ｘ線検出器を用いて前記被検体にＸ線を曝射してイメージングスキャンを行うことによりＸ線ＣＴ画像データを収集するＣＴ画像収集手段と，
を備えるＸ線ＣＴ装置。」である点で一致し，以下の点で相違するといえる。　
　
（相違点１）
　移動手段が変更させることが可能な前記被検体の体軸に直交する方向について，補正発明では「２方向」であるのに対して，引用発明では上下方向の「１方向」である点。
　
（相違点２）
　「ＣＴ画像収集手段」が「前記Ｘ線管及び前記Ｘ線検出器を用いて前記被検体にＸ線を曝射してイメージングスキャンを行うことによりＸ線ＣＴ画像データを収集する」タイミングについて，補正発明が「前記被検体と前記Ｘ線管及び前記Ｘ線検出器との相対的な位置関係」「の変更の後」と特定されているのに対して，引用発明では，明記されていない点。　
  
（１）相違点１についての検討
　上記引用刊行物１には，上記摘記事項（１−オ）に「架台３は設定架台チルト角ｙ２だけチルトして停止する」と患者の位置の補正として上下方向以外の移動も示唆されている。
　そして，上記引用刊行物２の摘記事項（２−ア）によれば被検体の左右方向および上下方向の２方向の位置決めを行うことは周知技術である。
　すなわち，患者の位置の補正としてアキシャル画像上の上下方向と左右方向があることは周知技術である。
　してみると，引用発明の，移動手段が変更させることが可能な前記被検体の体軸に直交する上下方向である「１方向」を，周知の左右方向と上下方向の「２方向」に置き換えて構成することは，十分に動機付けがあり，また，阻害要因もない。
　すなわち，引用発明に相違点１に係る構成を採用することは，当業者が容易に想到するものといえる。
　
（２）相違点２についての検討
　ＣＴ装置において，患者の正確なスライス画像を得るために，ＣＴスキャンの前に患者のＣＴスキャナに対する位置決めをすることは技術常識である。
　してみると，引用発明の「ＣＴ画像収集手段」が「ＣＴ画像データを収集する」タイミングとして，患者のＣＴスキャナに対する位置決めを行った後，すなわち，相違点２の補正発明の構成を採用することは，ＣＴ装置として当然の構成であるから，引用発明も相違点２の補正発明の構成を有しているものといえる。
　したがって，相違点２は実質的な相違点ではない。
　
（３）そして，補正発明の作用効果は，刊行物１記載の事項，周知技術および技術常識から当業者が予測し得る範囲内のものにすぎない。
　
（４）したがって，補正発明は，引用発明および周知技術に基いて当業者が容易に発明をすることができたものであるというべきであり，特許法第２９条第２項の規定により，特許出願の際独立して特許を受けることができないものである。
　　　
４　まとめ　　
　以上のとおりであるから，本件補正は，特許法第１７条の２第６項において準用する同法第１２６条第７項の規定に違反するので，同法第１５９条第１項の規定において読み替えて準用する同法第５３条第１項の規定により，却下すべきものである。　
　
第３　本願発明について　　
１　本願発明　　
　本件補正は，上記のとおり却下されたので，本願の請求項１〜１１に係る発明は，平成２５年１月１５日付け手続補正書により補正された特許請求の範囲の請求項１〜１１に記載された事項により特定されたものであって，その請求項４に係る発明（以下，「本願発明」という。）は，次のとおりであると認める。　　
「　　【請求項３】
　被検体にＸ線を照射するＸ線管と，
　前記Ｘ線管から照射されたＸ線を検出するＸ線検出器と，
　前記被検体の体軸方向に交わる領域に対応する参照画像上に操作者の入力によって指定された任意の位置に応じて，前記被検体と前記Ｘ線管及び前記Ｘ線検出器との相対的な位置関係を変更させる移動手段と，
　前記位置関係の変更の後に，前記Ｘ線管及び前記Ｘ線検出器を用いて前記被検体にＸ線を曝射してイメージングを行うことによりＸ線ＣＴ画像データを収集するＣＴ画像収集手段と，
を備えるＸ線ＣＴ装置。
　　【請求項４】
　前記移動手段は，前記被検体と前記Ｘ線管及び前記Ｘ線検出器との相対的な位置関係を，前記被検体の体軸に交わる２方向に対して変更させることが可能なように構成される請求項３記載のＸ線ＣＴ装置。」
　
２　引用刊行物およびその記載事項　　
　本願出願前に頒布された刊行物１，２およびその記載事項は，上記「第２　２」に記載したとおりである。　　
　　　
３　当審の判断　　
　補正発明は，上記第２の１で記載したように，実質的に本願発明の「被検体の体軸に交わる２方向」を「被検体の体軸に
直交する
　そうすると，本願発明の構成要件を全て含む補正発明が，上記「第２　３」において検討したとおり，引用発明，周知技術に基いて，当業者が容易に発明をすることができたものであるから，本願発明も，同様の理由により，引用発明および周知技術に基いて当業者が容易に発明をすることができたものであるというべきである。
　
第４　まとめ　　
　以上のとおり，本願発明は，特許法第２９条第２項の規定により特許を受けることができないから，その他の請求項について言及するまでもなく，本願は拒絶されるべきものである。　　
　よって，結論のとおり審決する。